(57)【要約】【課題】  特許マップ上の複数の発明間の関係や類似性を図面を参照して容易に判断できる特許マップ作成システムを提供する。【解決手段】  特許マップ作成システム２は、表計算ソフト３のマクロ機能を使用して、特許文献の書誌的情報及び評価情報を収容するデータシート４，評価軸情報を格納するＸＹリストシート５、各種のマップシート６を定義する。  追加情報取得部１０は、公開特許情報検索システム３２、自社特許管理システム、公開特許公報ＣＤ−ＲＯＭ３４等から、請求の範囲、課題、要約等の追加文献情報、代表図等の図面情報を追加取得する。追加文献情報は、データシート４上に格納され、図面情報は、図面情報蓄積部７に蓄積される。特許マップ表示部１１は、追加情報が格納されたデータシート４及び図面情報蓄積部７に蓄積された図面情報を利用して、絵付き特許マップを作成し、表示装置２４へ表示する。【選択図】      図１
2005038240.tif 000002
【特許請求の範囲】
【請求項１】
予め複数の評価軸によるそれぞれの評価値が付与されたデータシート上の複数の特許文献に対して、マトリクス化やリスト化した特許マップを表示装置に表示する特許マップ作成システムにおいて、
前記特許文献毎に図面情報等の追加情報を特許情報記憶媒体または特許データベースから取得する追加情報取得手段と、
前記追加情報が取得されたとき、前記特許マップのマトリクスやリストの各セル内に前記追加情報の少なくとも一部を含むように前記表示装置へ表示する特許マップ表示手段と、
を備えたことを特徴とする特許マップ作成システム。
【請求項２】
前記図面情報は、代表図の図面情報であることを特徴とする請求項１記載の特許マップ作成システム。
【請求項３】
前記追加情報は、請求の範囲、課題、要約、請求の範囲第１項の何れか一つ、またはこれらの任意の組み合わせである追加文献情報を含むことを特徴とする請求項１または請求項２記載の特許マップ作成システム。
【請求項４】
前記追加情報取得手段は、
前記特許文献の出願番号または公開番号等の番号情報に基づいて、特許文献毎の前記追加情報を特許情報記憶媒体または特許データベースからロードすることを特徴とする請求項１記載の特許マップ作成システム。
【請求項５】
前記特許マップ表示手段は、特許文献毎に評価して付与された独自評価情報を更に表示することを特徴とする請求項１記載の特許マップ作成システム。
【請求項６】
特許記憶媒体または特許データベースからロードした図面情報を蓄積し、再度同じ図面情報が要求された場合、特許記憶媒体または特許データベースから再度ロードすることなく、蓄積した図面情報を読み出して提供する図面情報蓄積手段を備えたことを特徴とする請求項１記載の特許マップ作成システム。
【請求項７】
前記特許データベースは、社外の特許データベース及び社内の特許データベースを含み、公開前の自社出願特許に関する前記追加情報は、出願番号または社内整理番号に基づいて前記社内特許データベースからダウンロードすることを特徴とする請求項１記載の特許マップ作成システム。
【請求項８】
前記データシート上の複数の特許文献の書誌的項目毎に、抽出条件の入力を受け付け、該抽出条件に適合する特許文献を特許マップ作成対象として前記データシートから自動的に抽出する自動抽出手段を備えたことを特徴とする請求項１記載の特許マップ作成システム。
【請求項９】
前記データシートから所望の条件で抽出された特許文献を含む新たなデータシート、または該データシートに基づいて作成された特許マップを元のデータシートとは別シートとして出力する別シート出力手段を備えたことを特徴とする請求項１または請求項８記載の特許マップ作成システム。
【請求項１０】
前記データシートから所望の条件で抽出された特許文献を含む新たなデータシート、または該データシートに基づいて作成された特許マップを元のデータシートが含まれていたファイルとは別ファイルとして出力する別ファイル出力手段を備えたことを特徴とする請求項１記載の特許マップ作成システム。
【請求項１１】
前記図面情報を含むセルの２次元マトリクスとして特許マップを作成し、該特許マップの少なくとも一部を画面表示し、一度に画面表示できない場合、カーソルにより２次元マトリクス上の表示位置を移動できることを特徴とする請求項１記載の特許マップ作成システム。
【請求項１２】
前記特許マップを印刷出力すべき用紙及び縦横方向の入力を受け付ける印刷用紙指定手段と、
前記用紙へ出力するレイアウトの選択入力を受け付け、入力されたレイアウトに従って前記特許マップをレイアウトして表示するとともに、当該レイアウトで印刷機へ出力可能なレイアウト指定手段と、
を備えたことを特徴とする請求項１１記載の特許マップ作成システム。
【請求項１３】
前記レイアウト指定手段でレイアウト指定後の表示画面上で、前記特許マップのセル毎に設けられたメモ欄へメモ入力を受け付けるとともに、入力されたメモをメモ欄に表示するメモ入力手段と、
前記メモ欄の内容をデータシート上に配置した特許文献毎のメモ欄へ移送するメモ移送手段と、
を備えたことを特徴とする請求項１２記載の特許マップ作成システム。
【請求項１４】
予め複数の評価軸によるそれぞれの評価値が付与されたデータシート上の複数の特許文献に対して、マトリクス化やリスト化した特許マップを表示装置に表示する特許マップ作成プログラムにおいて、
前記特許文献毎に図面情報等の追加情報を特許情報記憶媒体または特許データベースから取得する追加情報取得過程と、
前記追加情報が取得されたとき、前記特許マップのマトリクスやリストの各セル内に前記追加情報の少なくとも一部を含むように前記表示装置へ表示する特許マップ表示過程と、
を備えたことを特徴とする特許マップ作成プログラム。
【請求項１５】
前記図面情報は、代表図の図面情報であることを特徴とする請求項１４記載の特許マップ作成プログラム。
【請求項１６】
前記追加情報は、請求の範囲、課題、要約、請求の範囲第１項の何れか一つ、またはこれらの任意の組み合わせである追加文献情報を含むことを特徴とする請求項１４または請求項１５記載の特許マップ作成プログラム。
【請求項１７】
前記追加情報取得過程は、
前記特許文献の出願番号または公開番号等の番号情報に基づいて、特許文献毎の前記追加情報を特許情報記憶媒体または特許データベースからロードすることを特徴とする請求項１４記載の特許マップ作成プログラム。
【請求項１８】
前記特許マップ表示過程は、特許文献毎に評価して付与された独自評価情報を更に表示する過程を備えたことを特徴とする請求項１４記載の特許マップ作成プログラム。
【請求項１９】
特許記憶媒体または特許データベースからロードした図面情報を記憶装置に蓄積する図面情報蓄積過程と、
再度同じ図面情報が要求された場合、特許記憶媒体または特許データベースから再度ロードすることなく、前記記憶装置から蓄積した図面情報を読み出す図面情報読み出し過程と、
を備えたことを特徴とする請求項１４記載の特許マップ作成プログラム。
【請求項２０】
前記特許データベースは、社外の特許データベース及び社内の特許データベースを含み、公開前の自社出願特許に関する前記追加情報は、出願番号または社内整理番号に基づいて前記社内特許データベースからダウンロードすることを特徴とする請求項１４記載の特許マップ作成プログラム。
【請求項２１】
前記データシート上の複数の特許文献の書誌的項目毎に、抽出条件の入力を受け付ける抽出条件受付過程と、
前記抽出条件に適合する特許文献を特許マップ作成対象として前記データシートから自動的に抽出する自動抽出過程と、
を備えたことを特徴とする請求項１４記載の特許マップ作成プログラム。
【請求項２２】
前記データシートから所望の条件で抽出された特許文献を含む新たなデータシート、または該データシートに基づいて作成された特許マップを元のデータシートとは別シートとして出力する別シート出力過程を備えたことを特徴とする請求項１４または請求項２１記載の特許マップ作成プログラム。
【請求項２３】
前記データシートから所望の条件で抽出された特許文献を含む新たなデータシート、または該データシートに基づいて作成された特許マップを元のデータシートが含まれていたファイルとは別ファイルとして出力する別ファイル出力過程を備えたことを特徴とする請求項１４記載の特許マップ作成プログラム。
【請求項２４】
前記図面情報を含むセルの２次元マトリクスとして特許マップを作成する過程と、
該特許マップの少なくとも一部を画面表示し、一度に画面表示できない場合、カーソルにより２次元マトリクス上の表示位置を移動する表示位置移動過程と、
を備えたことを特徴とする請求項１４記載の特許マップ作成プログラム。
【請求項２５】
前記特許マップを印刷出力すべき用紙及び縦横方向の入力を受け付ける印刷用紙指定過程と、
前記用紙へ出力するレイアウトの選択入力を受け付け、入力されたレイアウトに従って前記特許マップをレイアウトして表示するとともに、当該レイアウトで印刷機へ出力可能なレイアウト指定過程と、
を備えたことを特徴とする請求項２４記載の特許マップ作成プログラム。
【請求項２６】
前記レイアウト指定過程でレイアウト指定後の表示画面上で、前記特許マップのセル毎に設けられたメモ欄へメモ入力を受け付けるとともに、入力されたメモをメモ欄に表示するメモ入力過程と、
前記メモ欄の内容をデータシート上に配置した特許文献毎のメモ欄へ移送するメモ移送過程と、
を備えたことを特徴とする請求項２５記載の特許マップ作成プログラム。
【発明の詳細な説明】
【技術分野】
【０００１】
本発明は、複数の特許文献を２つの評価軸の各評価値によってマトリックス状に分類した特許マップを作成する特許マップ作成システム及び特許マップ作成プログラムに関する。
【背景技術】
【０００２】
従来より、パーソナルコンピュータにインストールされた表計算ソフト（例えば、マイクロソフト社製、エクセル（商標）などのスプレッドシートプログラム）を利用して、複数の特許文献を分析評価して特許マップを作成する特許マップ作成システムが知られている。
【０００３】
例えば、特許文献２記載の特許マップ作成システムにおいては、表計算ソフト（スプレッドシート・プログラム）などのマクロ機能を利用して、評価対象の特許文献の書誌的事項を公開特許公報データベースから基礎データシート上に取り込み、別途設定された評価軸と評価値を記憶した評価データシートを参照して、基礎データシート上の各特許文献に評価値を付与した評価済基礎データシートを作成していた。そして、この評価済基礎データシートに基づいて、各種特許マップを表示したり、グラフ表示や統計表の表示を行って、他社の技術動向などの検討に使用されていた。
【特許文献１】特開平８−２２１４３５号公報（第３頁、図１）
【特許文献２】特開２００１−２８２８５２号公報（第６頁、図２）
【特許文献３】特開２００２−３４２４４７号公報（第３頁、図１）
【発明の開示】
【発明が解決しようとする課題】
【０００４】
しかしながら、従来の特許マップシステムは、マトリクスの各セルに特許文献の書誌的事項や各特許文献毎に付与された発明の特徴点等の文字情報を表示していたが、特許マップ上の複数の発明間の類似性を図面を参照して判断したい場合には、特許文献毎に詳細表示を行って図面を表示し、印刷出力して図面間の類似性や相違性を判断しなければならず、容易に図面情報を用いた比較ができないという問題点があった。
【課題を解決するための手段】
【０００５】
本発明は、上記問題点を解決するため、予め複数の評価軸によるそれぞれの評価値が付与されたデータシート上の複数の特許文献に対して、マトリクス化やリスト化した特許マップを表示装置に表示する特許マップ作成システムにおいて、前記特許文献毎に図面情報等の追加情報を特許情報記憶媒体または特許データベースから取得する追加情報取得手段と、前記追加情報の少なくとも一部を前記特許マップのマトリクスやリストの各セルに表示する追加情報表示手段と、を備えたことを要旨とする。
【０００６】
また本発明は、上記問題点を解決するため、予め複数の評価軸によるそれぞれの評価値が付与されたデータシート上の複数の特許文献に対して、マトリクス化やリスト化した特許マップを表示装置に表示する特許マップ作成プログラムにおいて、前記特許文献毎に図面情報等の追加情報を特許情報記憶媒体または特許データベースから取得する追加情報取得過程と、前記追加情報が取得されたとき、前記特許マップのマトリクスやリストの各セル内に前記追加情報の少なくとも一部を含むように前記表示装置へ表示する特許マップ表示過程と、を備えたことを要旨とする。
【発明の効果】
【０００７】
本発明に係る特許マップ作成システムによれば、特許マップのマトリクスの各セルに図面情報を表示することができるので、複数の特許間の類似性や相違性を図面を参照しながら容易に判断することができるという効果がある。
【０００８】
また、本発明に係る特許マップ作成プログラムによれば、特許マップのマトリクスの各セルに図面情報を表示することができるので、複数の特許間の類似性や相違性を図面を参照しながら容易に判断することができるという効果がある。
【発明を実施するための最良の形態】
【０００９】
次に図面を参照して、本発明の実施の形態を詳細に説明する。尚、本発明で特許と呼ぶものには、実用新案を含むものであることを断っておく。  
図１は、本発明に係る特許マップ作成システム２を搭載したユーザ端末装置１と他システムとの連携を説明するシステム全体図である。
【００１０】
システム全体は、ユーザ端末装置１と、特許情報サービス会社等が提供する公開特許情報検索システム３２と、公開特許情報検索システム３２から予約検索等によりダウンロードした特許文献の書誌的情報及び該特許文献毎に分類評価情報を蓄積した特許分類・評価システム３１と、自社出願特許を出願前から権利消滅まで管理する自社特許管理システム３３とを備え、これらは相互に図示しないネットワークを介して接続され、必要に応じて相互に参照可能となっている。
【００１１】
ユーザ端末装置１は、ＣＤ−ＲＯＭドライブ装置などの光学媒体駆動装置２３，液晶表示装置などの表示装置２４，キーボード及びマウス等のポインティングデバイスを備えた入力装置２５を備えている。光学媒体駆動装置２３は、公開特許公報ＣＤ−ＲＯＭ３４から、特許文献の詳細文献情報、図面情報等を読み出すことができる。
【００１２】
入力装置２５は、表示装置２４に表示されるグラフィカル・ユーザ・インタフェース（ＧＵＩ）を使用した入力メニューに従って、特許マップ作成装置に対するユーザの指示入力や、特許文献毎にユーザが任意に入力可能なメモの入力に使用される。表示装置２４には、特許マップ作成システム２とユーザとのＧＵＩが表示され入力装置２５からの入力のガイダンスや、特許マップ作成過程で使用されるデータシート４の内容を表示したり、作成後の特許マップを表示する。
【００１３】
公開特許情報検索システム３２は、ＣＤ−ＲＯＭなどの記憶媒体によって発行される公開特許公報や特許公報などの書誌的事項（公報番号、出願番号、出願日、出願人、国際特許分類など）や請求の範囲・詳細な説明及び図面などの公報に関する詳細データを図示しない特許データベースに蓄積している。
【００１４】
また、公開特許情報検索システム３２は、特許データベースを検索するための検索プログラムを内蔵して種々の検索条件式に該当する公報を検索することができるようになている。これにより、特許分類・評価システム３１からの検索要求に応じて検索結果を返したり、ユーザ端末装置１からの特許文献番号による問い合わせに応じて特許文献の抄録や全文・全図等の詳細内容データを表示やダウンロードさせることができる。
【００１５】
自社特許管理システム３３は、各種の期限管理や権利管理を行うと共に、自社出願特許に関する各種文献及び図面データの電子保管を行うものである。
【００１６】
ユーザ端末装置１は、公開特許情報検索システム３２にアクセスして、検索・内容表示や、データのダウンロードができるようになっている。  
さらに、ユーザ端末装置１から社内整理番号により自社特許管理システム３３にアクセスして、公開前の自社出願特許文献等の検索、内容表示ができるようになっている。  
また、特許分類・評価システム３１内の自社特許管理データは、自社特許管理システム３３の情報にて自動的に更新するようになっている。
【００１７】
尚、特に限定されないが本実施形態では、特許分類・評価システム３１の内部には、公開された特許文献データ毎の全情報（抄録、全文、全図）を保有することなく、書誌的事項のみを取り込むようにしている。そして、必要に応じて特許分類・評価システム３１やユーザ端末装置１から特許公開番号や特許登録番号またはこれらに相当する符号番号により、公開特許情報検索システム３２にアクセスして、当該特許文献の抄録、全文、全図を参照可能としている。
【００１８】
本発明の特許マップ作成プログラムをユーザ端末１にインストールして構成される特許マップ作成システム２は、表計算ソフト３（例えば、マイクロソフト社製、エクセル（商標）などのスプレッドシートプログラム）と、詳細表示制御部１５とを備えている。
【００１９】
詳細表示制御部１５は、表計算ソフト３と連係して、データシート４上の特許文献、またはマップシート６上の特許文献の詳細内容（抄録、全文、全図等）を表示する場合、公開特許情報検索システム３２、自社特許管理システム３３、または公開特許公報ＣＤ−ＲＯＭ３４を装着した光学媒体駆動装置２３にアクセスして、当該特許文献の詳細内容を取得して表示装置２４へ表示できるようになっている。
【００２０】
表計算ソフト３は、そのマクロ機能を使用して、評価対象の特許文献の書誌的情報及び評価情報を収納するデータシート４、評価軸情報を収納するＸＹリストシート５、複数のマップシート６及び図面情報蓄積部７が定義され、これらに対して、データ入出力、データ選択、データ集計、グラフ作成等の操作により特許マップ作成できるようになっている。
【００２１】
また、データシート４、ＸＹリストシート５、複数のマップシート６、図面情報蓄積部７の記憶内容などは、特許評価のテーマ毎に個別の名称が付与された特許マップファイル２２（エクセルではブックと呼ばれる）として、特許マップ作成システム２からユーザ端末装置１の図示しない磁気ディスク装置等の補助記憶装置に入出力可能となっている。
【００２２】
複数のマップシート６には、例えば、出願人、出願年、技術的分類（ＩＰＣ分類など）の中から選択された２つの組み合わせによる定型特許マップシートや、Ｘ軸Ｙ軸に独自の評価軸を設定した独自情報によるマップシート等が含まれる。
【００２３】
また表計算ソフト３は、そのマクロ機能を利用して、追加情報取得部１０と、特許マップ表示部１１と、抽出印刷制御部１２と、特許マップ入出力部１３と、自動抽出部１４とを備えている。
【００２４】
特許マップ入出力部１３は、入力ファイル２１や特許マップファイル２２から表計算ソフト３へ特許文献の書誌的事項や特許マップデータを入力したり、表計算ソフト３から特許マップファイル２２へ作成中または作成が完了した特許マップファイルを出力する。
【００２５】
追加情報取得部１０は、データシート４上に蓄積された特許文献毎に、図面情報等の追加情報を特許情報記憶媒体である公開特許公報ＣＤ−ＲＯＭ３４、または特許データベースである公開特許情報検索システム３２や自社特許管理システム３３から取得する追加情報取得手段である。
【００２６】
この追加情報には、公開特許公報のトップページに記載される代表図等の図面情報を含む。また追加情報として、請求の範囲、課題、要約、請求の範囲第１項等の追加文献情報の任意の組み合わせを含む。
【００２７】
追加情報取得部１０は、データシート４上の特許文献の公開番号に基づいて、特許文献毎の前記追加情報を公開特許公報ＣＤ−ＲＯＭ３４、公開特許情報検索システム３２、または自社特許管理システム３３からロードする。ロードした追加情報が追加文献情報であれば、これをデータシート４上に蓄積し、図面情報であれば、これに特許文献毎の図面情報を識別する識別符号を付与して図面情報蓄積部７に蓄積する。
【００２８】
尚、データシート４上には、前記識別符号を格納する図面識別符号欄が設けられ、この図面識別符号欄が空白である特許文献は、図面情報が未だ取得されていないことを示し、図面識別符号欄に記入があれば図面情報が取得済みで、図面情報蓄積部７に蓄積されていることを示す。そして、その図面識別符号を用いて、当該特許文献の図面情報を図面情報蓄積部７から呼び出すことができるようになっている。
【００２９】
この図面情報の識別符号としては、特に限定されないが、本実施形態では、特許文献の種類を識別する２桁の符号（ＡＡ：公開特許公報、ＢＢ：公告特許公報、ＵＵ：公開実用新案公報、ＹＹ：公告実用新案公報、ＶＶ：登録実用新案公報、ＰＰ：特許公報、ＴＴ：公表特許公報など）と、西暦年の下２桁と、６桁の数字との合計１０桁の英数字を用いている。
【００３０】
追加情報取得部１０は、データシート４上の特許文献毎に、特許請求の範囲、課題、要約、請求の範囲第１項等の追加文献情報を、例えばＣＳＶ（Comma Separated Value format）形式の入力ファイル２１から取り込んで、データシート４上に格納する一括取込機能や、個々の特許文献毎に、公開特許情報検索システム３２，自社特許管理システム３３，公開特許公報ＣＤ−ＲＯＭ３４から追加文献情報や図面情報を取り込む個別取込機能を備えている。
【００３１】
特許マップ表示部１１は、データシート４、ＸＹリストシート５の内容や、マップシート６に基づく各種グラフや各種特許マップを表示装置２４へ表示する。  
また特許マップ表示部１１は、追加情報取得部１０により、追加情報が取得されたとき、特許マップのマトリクスやリストの各セル内に追加情報の少なくとも一部を含むように表示装置２４へする特許マップ表示手段であり、その詳細は、図１２，図１３を参照して後述する。特に、追加情報として図面情報を含む特許マップを本実施形態では「絵付きマップ」と呼ぶことにする。
【００３２】
抽出印刷制御部１２は、特許マップ表示部１１が作成した絵付き特許マップを指定された用紙へ印刷出力できるようにレイアウト編集する制御部である。
【００３３】
特許マップ入出力部１３は、入力機能と出力機能とを有する。特許マップ入出力部１３の入力機能は、既存又は作成中の特許マップファイル２２から特許マップデータをデータシート４へ入力する。また、新たな特許文献に基づいて新規な特許マップを作成したり、既存の特許マップに新たな特許文献データを追加したりする場合、ＣＳＶ形式の入力ファイル２１からデーターシート４へ特許文献の書誌的事項を取り込む。
【００３４】
特許マップ入出力部１３の出力機能は、特許マップブックを構成するデータシート４，ＸＹリストシート５及びマップシート６から、保存用の特許マップブックとして特許マップファイル２２を出力する。
【００３５】
自動抽出部１４は、データシート４上の複数の特許文献に対して、特許出願人、出願年、分類等の抽出条件がユーザから指定されたとき、抽出条件に適合する特許文献を自動抽出するものである。
【００３６】
図２は、本発明に係る特許マップ作成システムの全体の処理の流れを説明する概略フローチャートである。  
特許分類・評価システム３１は、公開特許情報検索システム３２から予約検索により、新規特許文献データの書誌的情報を取り込む。
【００３７】
この新規特許文献データの取込には、公開特許情報検索システム３２に抽出用の検索式を予め登録しておき、定期的に公開特許情報検索システム３２に格納された最新特許を自動的に検索式で抽出した結果の通知を電子メール等により受ける。そして、検索結果の特許文献データを例えば、レコード内のデータをカンマで区切ったＣＳＶ形式等で特許分類・評価システム３１に取り込む。
【００３８】
これは、一般に選択的情報配信（ＳＤＩ、Selective Dissemination of Information）とよばれていて、特許文献の検索式を予め登録して、当該検索式に適合する特許文献を抽出した結果の配信を受けることを予約検索機能と呼んでいる。前記検索式の例としては、関係業界に属する出願人やＩＰＣ分類による技術範囲がある。
【００３９】
特許マップ作成システムは、まず、ステップ（以下、ステップをＳと略す）１０でデータシート４を初期化し、次いでＳ１２で評価軸を設定してＸＹリストシート５に書き込む。この評価軸には、技術分類の部位部品による評価軸（Ｘ軸）、技術分類の機能による評価軸（Ｙ軸）、重要度、審査請求、採用状況、ＩＰＣ分類、出願人、出願年等や、任意に設定した評価軸を含む。
【００４０】
次いで、Ｓ１４で、評価対象特許の書誌的事項を入力ファイル２１から取り込み、データシート４へ格納する。データシート４の詳細は、図９、図１０を参照して後述する。Ｓ１４で取り込む入力ファイル２１は、特許分類・評価システム３１から検索条件で抽出した評価対象特許の書誌的事項を格納するファイルであり、例えば、１件毎の特許文献情報を１レコードとし、レコードを構成する各フィールドをコンマで区切ったＣＳＶ形式として作成される。
【００４１】
次いで、Ｓ１６でデータシート４上の各特許文献を詳細表示させながら、Ｓ１８でＸＹリストシート５で定義した複数の評価軸によるそれぞれの評価値をデータシート４上の各特許文献に選択入力する。Ｓ１６における特許文献の詳細表示（抄録、全文、全図）には、公開特許情報検索システム３２，自社特許検索システム３３，或いは公開特許公報ＣＤ−ＲＯＭ等が参照される。
【００４２】
次いで、Ｓ２０で次レコードがなくなるまで、Ｓ１６とＳ１８とを繰り返す。データシート４上の全てのレコードに評価値が付与された状態を評価済データシートとも呼ぶ。
【００４３】
次いで、Ｓ２２で、こうした評価済みのデータシート４に含まれる特許文献を必要に応じて検索条件により絞り込み、データシート上の全特許文献、または絞り込まれた特許文献に対して、２つの評価軸の組み合わせによる種々のマトリクス集計をしたマップシート６を作成する。
【００４４】
次いで、Ｓ２４で、このマップシート６に基づいて各種特許マップを表示装置に表示する。尚、Ｓ２２で作成したマップシート６は、棒グラフ等のグラフ表示をしたり、各種統計表を表示したりすることに用いられる。
【００４５】
Ｓ２６で、データシート上の各特許文献毎に、追加情報を公開特許情報検索システム３２，自社特許管理システム３３、或いは公開特許公報ＣＤ−ＲＯＭ等を参照して取得する。この追加情報には、代表図等の図面情報と、請求の範囲、課題、要約、請求の範囲第１項等の追加文献情報を含む。追加情報のうち、追加文献情報は、データシート４上に蓄積され、代表図等の図面情報は、特許文献毎に識別符号が付与されて、図面情報蓄積部７に蓄積される。この識別符号は、当該識別番号に該当する図面情報が図面情報蓄積部７に蓄積されている場合、データーシート４上に設けられた図面番号欄に格納されており、図面番号欄が空白である場合、図面情報が蓄積されていないことを示す。
【００４６】
次いで、Ｓ２８で特許マップの各セルに図面情報を含む絵付き特許マップを作成して表示装置へ表示する。本実施形態では、図面情報として代表図を表示した絵付き特許マップを作成している。絵付き特許マップの例を図１２に示す。
【００４７】
次いで、Ｓ３０で、この絵付き特許マップを印刷するか否かをユーザが判定し、印刷する場合、Ｓ３２で、印刷画面のレイアウトや印刷用紙のサイズ、印刷用紙の縦横方向等の抽出印刷条件を設定し、Ｓ３４で印刷出力する。
【００４８】
図３は、特許分類・評価システム３１の関係データベースを構成する各テーブル間の連携を説明するＥＲ（Entity Relationship ）図であり、線分によるテーブル項目間の接続は、「１対１」の関係を示す。また、矢印によるテーブル項目間の接続は、「１対多」の関係を示し、矢の元が「１」、矢の先が「多」である。
【００４９】
図３に示すように、特許分類・評価システムのデータベースは、出願番号を主要なキーとして、各特許文献データテーブルを関連づけている。また出願番号は、書誌データテーブル１０７と出願前から社内特許文献情報を管理している社内特許文献データテーブル１０１とのリンクにもなっている。これにより、他社特許文献を含む公開特許情報と社内特許文献情報とを一元管理することができるようになっている。
【００５０】
社内特許文献データ（Ａデータとも呼ぶ）１０１は、識別番号であるＩＤ、公報種別、公開番号、公告番号、登録番号、公開日、公告日、登録日、発明の名称、国際特許分類ＩＰＣ、出願番号、出願日、出願人、発明者、社内整理番号、技術グループ、知財担当者、発明提案を行った届出部署等を格納している。
【００５１】
また図示しないが、社内特許文献データ１０１は、外国出願に関する項目や、特許とその適用製品の会社への貢献度に関するデータを格納している。
【００５２】
発明者テーブル１０３は、出願番号、発明者の氏名、発明者の記載順位を格納している。  
出願人テーブル１０５は、出願番号、出願人の氏名又は名称、出願人の記載順位を格納している。
【００５３】
書誌データテーブル１０７は、公開番号、発明の名称、ＩＰＣ分類、出願人、特許（公告）番号、出願番号、出願日、公開日、発明者、特許文献データを取り込んだ年月日を示す取込日、等を格納している。
【００５４】
集計出願人テーブル１０９は、集計コード、集計出願人、出願人の氏名又は名称を格納している。  
評価マスタ１１１は、識別番号であるＩＤ、特許文献の重要度を示す評価コードを格納している。
【００５５】
Ｆタームデータテーブル１１３は、公開番号、出願番号、Ｆタームのテーマコード（５桁）、図示しないが観点（２桁のアルファベット）及び数字（２桁）を格納している。Ｆタームとは、File Forming Term の略号で、特許審査の先行技術調査を効率的に行うために、機械検索用に開発された技術項目である。Ｆタームは、ＦＩ分類の特定の範囲を「製法」「組成」「用途」「構成」「方法」など種々の観点で対象公報を分析して付与されており、詳細な検索を可能とする検索コード体系である。２０００年以降の公開特許公報には、Ｆタームが記載されている。
【００５６】
マップデータテーブル１１５は、マップデータの番号であるＭＡＰ＿Ｎｏ、管理番号、出願番号、Ｘ軸名、Ｙ軸名、社内整理番号、分類コード、等を格納している。  
分類データテーブル１１７は、出願番号、第１階層グループの分類を示す技術コード、社内の詳細な技術分類コードである社内技術分類コード等を格納している。  
評価データテーブル１１９は、出願番号、技術コード、社内技術分類コード、評価した担当者名、評価の入力日、評価の順位等を格納している。
【００５７】
書誌データテーブル１０７の出願番号に対して、分類データテーブル１１７および評価データテーブル１１９は、［１：多］の対応関係にあるので、特許評価データベース５３は、１件の特許文献についても複数の分類・評価データを有することができる。
【００５８】
Ｆターム基本台帳テーブル１２１は、特許情報サービス会社等から購入したデータであり、テーマコード、テーマ名、当該テーマが対応するＦＩ範囲、Ｆタームを格納している。尚、図３には図示しなかったが、Ｆターム基本台帳テーブル１２１のＦタームは、Ｆタームデータテーブル１１３の観点及び数字に１対多の対応関係がある。
【００５９】
テーマデータテーブル１２３は、公開番号、出願番号、評価テーマ名を格納している。技術分類コードテーブル１２５は、識別番号であるＩＤ、第１階層グループの分類を示す技術分類、技術分類に対して付与されたコードである技術コードを格納している。
【００６０】
分類詳細データテーブル１２７は、ＩＰＣ分類、ＩＰＣ分類に対する説明を格納している。テーママスタテーブル１２９は、識別番号であるＩＤ、評価テーマ名を格納している。
【００６１】
配布テーブル１３１は、識別番号であるＩＤ、評価対象の複数特許文献が第１階層グループに分類される基準である技術グループの分類を示す技術コード、第２階層グループの特許文献を評価する評価担当者の氏名である担当、技術グループ毎の代表ワークステーションのメールアドレスである技術グループメールアドレス、前記担当のメールアドレスである担当メールアドレスを格納している。
【００６２】
社内技術分類テーブル１３３は、第１階層グループの名称である技術分類、技術分類のコードである技術コード、評価軸のコードである軸コード、評価軸毎の技術分類の大分類、大分類コード、同中分類、中分類コード、同小分類、小分類コード、図示しないが同細分類及び細分類コード、大分類コードから細分類コードまでを纏めた社内技術分類コード、社内技術分類表示名等を格納している。
【００６３】
図４は、本発明に係る特許マップ作成システムのメイン画面を示す図である。このメイン画面は、特許マップファイル２２を開くと、自動的に表示される画面である。そして、テーマウィンドウ２０５に、この特許マップファイルの名称である［リチウム電池］が表示されている。
【００６４】
またメイン画面は、特許抄録検索システムへ移るための［特許抄録検索］ボタン２０１と、特許マップ作成システムのマニュアルを参照するための［マニュアル］ボタン２０２と、システム制作部門へ不明点等を問い合わせるための［問合せ］ボタンと、評価対象の特許を抽出するための検索式メモを呼び出すための［検索式メモ］ボタン２０４と、新規に特許マップを作成するための［新規作成］ボタン２０６と、特許マップにより各種の分析を行うための［メニュー］ボタン２０７と、独自の観点からそれぞれの特許に評価を付与して特許分析するための［独自情報入力］ボタン２０８と、特許マップファイルを保存するための［保存］ボタン２０９と、特許評価システムの運用を終了するための［終了］ボタン２１０と、旧特許システムで作成された現有特許マップデータを取り込むための［現有Ｍａｐデータの取込］ボタン２１１と、特許マップデータをファイル出力するための［Ｍａｐデータのファイル出力］ボタン２１２とを備えている。
【００６５】
またメイン画面は、定形グラフ作成画面へ移るために、［出願年−出願人グラフ］ボタン２１３、［出願年−分類グラフ］ボタン２１４、［出願人−分類グラフ］ボタン２１５を備え、定形特許マップ作成画面へ移るために、［出願年−出願人マップ］ボタン２１６、［出願年−分類マップ］ボタン２１７、［出願人−分類マップ］ボタン２１８を備えている。
【００６６】
またメイン画面は、定型バブルチャート作成画面へ移るために［定型バブルチャート］ボタン２１９，各種統計マップ作成画面へ移るために［各種統計マップ］ボタン２２０を備えている。
【００６７】
またメイン画面は、ポートフォリオ分析画面へ移るための［ポートフォリオ分析マップ］ボタン２２３，共同出願人マップ作成のための共同出願人分析画面へ移るための［分析表］ボタン２２４，共同出願人マップを作成する［共同出願人マップ］ボタン２２５を備えている。
【００６８】
さらにメイン画面は、取り込みデータ一覧を表示するための［取り込みデータ一覧］ボタン２２６，独自情報による評価軸及び評価値をＸＹリストに設定して独自情報による特許文献を評価済みの場合に利用可能な［独自情報グラフ］ボタン２２７，［独自情報マップ］ボタン２２８を備えている。
【００６９】
またメイン画面は、図中下端部には、表計算ソフト３のシートメニューを左右にスクロールするボタン２２９と、表示装置の画面に表示する作業シートを切り替えるシート切り替えタブ２３０〜２３８と、表示中の画面の位置を上下にスクロールする上下スクロールボタン２５０と、表示中の画面の位置を左右にスクロールする左右スクロールボタン２５１とを備えている。２２９から２５１は、他の画面に切り替わっても共通に表示される。
【００７０】
メイン画面タブ２３０をクリックすると、図４に示すメイン画面へ、データシートタブ２３１をクリックすると、図９に示すようなデータシートへ、ＸＹリストタブ２３３をクリックすると、図１１のようなＸＹリストシートへ、それぞれ表示装置に表示する画面が切り替えられるようになっている。
【００７１】
また、新規データシートタブ２３２をクリックすると、新規データ取り込み用の新規データシートを表示し、追加更新編集シートタブ２３４をクリックすると、追加更新編集用の追加更新編集シートを表示し、選択ＸＹマップシートタブ２３５をクリックすると、選択ＸＹマップシートを表示し、抽出印刷タブ２３７をクリックすると、図１３のような抽出印刷画面を表示する。
【００７２】
次に、図９、図１０のデータシート表示画面、図１１のＸＹリストシート表示画面を参照して、本特許マップ作成システムにおけるデータシート及びＸＹリストシートを説明する。
【００７３】
図９において、データシート表示画面は、［評価等の入力／内容表示］ボタン３０１と、［出願年、出願人、分類コード自動入力］ボタン３０２と、［メニューに戻る］ボタン３０３と、［重複データチェック＆削除］ボタン３０４と、［オートフィルタ］ボタン３０５と、［並べ替え］ボタン３０６と、［文字置換］ボタン３０７と、［ＲＡＭ］というテーマ名が表示されたテーマ名表示窓３０８と、［「請求の範囲」等追加取込］ボタン３０９と、前回終了番号表示窓３１０とを備えている。
【００７４】
データシート表示画面は、データシートの内容を表示する欄として、公開番号を表示する公開番号欄３１１，発明の名称を表示する名称欄３１２，ＩＰＣ分類を表示する分類欄３１３，出願人を表示する出願人欄３１４，特許（公告）番号を表示する特許（公告）番号欄３１５，出願番号を表示する出願番号欄３１６，公開日を表示する公開日欄３１７，出願日を表示する出願日欄３１８，発明者を表示する発明者欄３１９，発明の特徴点を表示する特徴点欄３２０，例えば技術分類の部位部品軸であるＸ軸の評価値を表示するＸ軸欄３２１，例えば技術分類の機能軸であるＹ軸の評価値を表示するＹ軸欄３２２，重要度により付与された評価値を表示する重要度欄３２３，審査請求の状況による評価値を表示する審査請求欄３２４，採用状況による評価値を表示する採用状況欄３２５，社内整理番号を表示する社内整理番号欄３２６，ＩＰＣ分類コードをさらにデータシート内でコード化した分類コード欄３２７，出願人をデータシート内でコード化した出願人コード欄３２８，及び出願年をデータシート内でコード化した出願年コード欄３２９を備えている。
【００７５】
以上の各欄は、データシートの特許文献情報であるレコードが有するフィールドに対応している。そして、複数の特許文献に関する各書誌的事項がデータシートに取り込まれた後に、［出願年、出願人、分類コード自動入力］ボタン３０２をクリックすると、データシートの分類コード欄３２７及び出願人コード欄３２８に、自動的に頻度の高いものから順に数字コードが付与されて、表示画面に表示される。このとき、出願年コード欄３２９には、古い出願年から新しい出願年へ昇順に番号が付与される。また、同時に、図１１で説明するＸＹリストシートの分類欄４０６、出願人欄４０７、出願年欄４０８にも同様に数字コードが付与される。
【００７６】
［評価等の入力／内容表示］ボタン３０１は、選択されたデータシート上の特許文献の詳細内容（抄録、全文、全図）を表示させながら、該特許文献に対する評価値を入力するために使用するものである。［評価等の入力／内容表示］ボタン３０１がクリックされると、データシート表示画面から図示しない評価入力画面へ移り、ＸＹリストシート５に定義されたＸ軸の技術分類、Ｙ軸の技術分類、重要度、審査請求の状況、採用状況等の各評価項目の評価値、及びフリーワードで記述可能な特徴点を入力可能な状態となる。
【００７７】
この評価入力画面において、各特許文献毎に、Ｘ軸の技術分類、Ｙ軸の技術分類、重要度、審査請求の状況、採用状況等の各評価項目の評価値、及びフリーワードで記述可能な特徴点が入力され、特許分類評価システム３１に評価データが蓄積される。
【００７８】
［オートフィルタ］ボタン３０５は、図１の自動抽出部１４によるオートフィルタ機能のオン／オフを指示するボタンである。このオートフィルタ機能は、データシート４上の複数の特許文献から特許マップ作成対象の特許文献を絞り込む作業を省力化するものである。
【００７９】
例えば、オートフィルタ機能がオンのとき、出願人欄に表示されるプルダウンメニューを開くと、全ての出願人、データシート上で件数が上位１０の出願人（トップテン）、及びデータシート上の各出願人の中から選択して指定入力が可能となる。ここで、トップテンの指定を入力すると、データシート上で件数が上位１０の出願人による特許文献が抽出されて、データシート上に残る。特定の出願人を指定すれば、当該出願人の特許文献が抽出されて、データシート上に残る。元に戻す場合、全ての出願人の指定を入力すると、出願人による特許文献の選択は元の状態に戻される。
【００８０】
また、オートフィルタ機能がオンのとき、出願年欄に表示されるプルダウンメニューを開くと、全ての出願年、データシート上で件数が上位１０の出願年（トップテン）、及びデータシート上の各出願年の中から選択して指定入力が可能となる。ここで、トップテンの指定を入力すると、データシート上で件数が上位１０の出願年の特許文献が抽出されて、データシート上に残る。特定の出願年を指定すれば、当該出願年の特許文献が抽出されて、データシート上に残る。元に戻す場合、全ての出願年の指定を入力すると、出願年による特許文献の選択は元の状態に戻される。
【００８１】
また、オートフィルタ機能のオプションとして、第１の出願年より大きい（小さい）値を持つ出願年の特許文献を選択する第１条件と、第２の出願年より小さい（大きい）値を持つ出願年の特許文献を選択する第２条件とを入力するとともに、これら第１、第２条件の論理積（アンド）及び論理和（オワ）による特許文献の選択抽出が可能となっている。この機能により開始年から終了年までの任意の期間の出願を抽出したり、任意の期間を除外した出願を抽出することができる。
【００８２】
さらに、オートフィルタ機能のＩＰＣ分類に関する機能についても、出願年と同様の機能を有しているので、任意の連続するＩＰＣ分類による出願を抽出することができる。
【００８３】
また、評価入力画面では、選択されている特許文献の公開番号、出願番号、または社内整理番号を検索条件として、公開特許情報検索システム３２，自社特許管理システム３３、または公開特許公報ＣＤ−ＲＯＭ３４をアクセスして、詳細内容を取得し、詳細内容を表示装置の画面に表示するようになっている。
【００８４】
さらに、評価入力画面からは、社内整理番号を検索条件として、自社特許管理システム３３をアクセスして、発明が適用（予定も含む）された車種機種、外国出願の有無、審査請求の有無、審査請求日、権利の生死、当該発明の会社への貢献度等を表示装置の画面に表示するようになっている。
【００８５】
図１０に示すデータシート表示画面は、［「請求の範囲」等追加取込］ボタン３０９による追加文献情報取込機能により、データシート上の特許文献に対して、追加文献情報を取り込んだ後の表示画面を示すものである。図１０に示すように、出願人欄３１４と図示しない特許（公告）番号欄３１５との間に、請求の範囲欄３３０，課題欄３３１，要約欄３３２が追加され、各特許文献（図１０では５件を示している）の特許請求の範囲、発明が解決しようとする課題、要約、がそれぞれ対応する欄に取り込まれている。
【００８６】
図１１は、図１のＸＹリストシート５を表示した画面の例である。ＸＹリストシート５は、Ｘ軸評価値、Ｙ軸評価値、重要度、審査請求、採用状況、ＩＰＣ分類、出願人、出願年の各フィールドと、これらの各フィールドに対応する評価値を数字化したフィールドを有する。そして、ＸＹリストシートを表示した画面には、上記各フィールドに対応して、Ｘ軸評価値を表示するＸ軸欄４０１，Ｙ軸評価値を表示するＹ軸欄４０２，重要度を表示する重要度欄４０３，審査請求の状況を表示する審査請求欄４０４，製品への採用状況を表示する採用状況欄４０５，ＩＰＣ分類を表示する分類欄４０６，出願人を表示する出願人欄４０７，出願年を表示する出願年欄４０８を有する。そして、各欄には、例えば、Ｘ軸のモータには１、Ｙ軸の電力消費は２，審査請求の満了は４、というように評価値を数字化した値が同時に表示されている。
【００８７】
図１２は、マップシート６のうち、選択ＸＹマップシートによる絵付き特許マップの表示画面例である。図１２に示すように、選択ＸＹマップシートの表示画面は、特許マップの作成または更新を指示する［ＭＡＰ作成／更新］ボタン５０１と、表示中の特許マップのクリアを指示する［ＭＡＰクリア］ボタン５０２と、図４のメニューに戻る指示をする［メニューに戻る］ボタン５０３と、選択ＸＹマップ中の特許文献毎に代表図等の図面情報の取込を指示する［図面ダウンロード］ボタン５０４と、特許マップ中に図面を表示する指示を行う［図面表示］ボタン５０５と、特許マップ中に図面を表示しない指示を行う［図面非表示］ボタン５０６と、特許マップ中及び図面情報蓄積部７に蓄積した図面削除の指示を行う［図面削除］ボタン５０７と、作成する特許マップの横軸を指定する横軸プルダウンメニュー５０８と、作成する特許マップの縦軸を指定する縦軸プルダウンメニュー５０９と、特許マップ作成時に図面を表示するか否かを指定するチェックボックス５１０と、特許マップの選択したセルの詳細内容を表示する［内容表示］ボタン５１１と、［資料作成］ボタン５１２とを備えている。
【００８８】
横軸プルダウンメニュー５０８及び縦軸プルダウンメニュー５０９は、それぞれＸＹリストシートに定義された、Ｘ軸、Ｙ軸、分類、出願年、重要度、審査状況、採用状況を選択可能である。
【００８９】
特許マップ作成には、横軸プルダウンメニュー５０８、縦軸プルダウンメニュー５０９で横軸及び縦軸を設定した後、［ＭＡＰ作成／更新］ボタン５０１をクリックすると、特許マップが作成される。このとき、チェックボックス５１０にチェックが入っていれば、マップ作成時に図面表示を行う絵付きマップが作成され、チェックボックス５１０にチェックが入っていなければ、図面のない通常の特許マップが作成される。
【００９０】
絵付き特許マップが作成され、表示装置に表示されると、特許マップのマトリクスの各セルは、左右に分割され、例えば左側には特許文献情報、右側には図面情報として代表図が表示される。即ち、図１２に示すように、セルの左側５１３に、例えば出願人（図ではＡ電気）、公開番号（特開平０７−ＸＸＸＸＸＸ）、発明の名称（ボリュームレンダリング方法）、出願日（１９９３／０６／１６）が表示され、セルの右側５１４に代表図が表示される。
【００９１】
通常の特許マップを作成した後、［図面ダウンロード］ボタン５０４をクリックすると、図１の追加情報取得部１０が、公開特許情報検索システム３２，自社特許管理システム３３，或いは公開特許公報ＣＤ−ＲＯＭ３４から特許マップ中の各特許文献に対応する図面情報として代表図をロードし、代表図毎に識別符号を付与して図面情報蓄積部７に蓄積するとともに、特許マップの各セル中に代表図５１４を表示する。
【００９２】
このとき、識別符号により既に図面情報蓄積部７に蓄積されていると判断される代表図は、再度ロードすることなく、図面情報蓄積部７に蓄積されている代表図を使用する。ここで、図面データの形式としては、静止画像の一般的な圧縮方式であるＴＩＦＦ（Tagged-Image Files Format、拡張子 .tif）やＧＩＦ（Graphics Interchange Format、拡張子 .gif）を用いることができる。 
図１３は、図１２の絵付き特許マップから、印刷レイアウトを指定して、指定した用紙へ印刷出力するための抽出印刷シートを表示装置に表示した画面例である。
【００９３】
図１３において、抽出印刷画面は、［図面ダウンロード］ボタン６０１と、［抽出印刷レイアウト］ボタン６０２と、［表示内容クリア］ボタン６０３と、［再レイアウト］ボタン６０４と、［メモ欄更新］ボタン６０５と、［図面削除］ボタン６０６と、選択項目表示領域６０８、６１１と、メモ欄表示領域６０９、６１２と、図面情報表示領域６１０、６１３とを備えている。
【００９４】
選択項目表示領域６０８、６１１と、メモ欄表示領域６０９、６１２と、図面情報表示領域６１０、６１３とは、列数２を指定した場合の表示例であり、列数と指定した数ｎに応じて、ｎ列の表示となるものである。
【００９５】
［図面ダウンロード］ボタン６０１と［図面削除］ボタン６０６とは、それぞれ図１２の［図面ダウンロード］ボタン５０４と［図面削除］ボタン５０７と同様の機能を有するボタンである。
【００９６】
［抽出印刷レイアウト］ボタン６０２は、抽出印刷条件設定のためのボタンであり、絵付きマップから印刷出力するために、印刷用紙に適合したレイアウトに編集するためのものである。［抽出印刷レイアウト］ボタン６０２がクリックされると、抽出印刷制御部１２は、抽出印刷条件設定の小画面を抽出印刷画面に重ねて表示し、ユーザに、選択項目、用紙サイズ及び列数の入力を促す。選択項目は、追加文献情報として特許マップに表示する文献情報を選択するもので、本実施形態では、請求の範囲、課題、要約、請求の範囲第１項の何れかを選択可能となっている。用紙サイズは、例えば、指定無し、Ａ４縦、Ａ４横、Ａ３縦、Ａ３横等がある。列数は、印刷用紙の横方向に絵付きマップのセルを幾つ並べて編集するかを指定するもであり、実施形態では、１列から６列までの任意の列数を指定可能となっている。
【００９７】
［表示内容クリア］ボタン６０３は、抽出印刷条件の再設定を行うときに、表示内容をクリアするためのボタンである。［再レイアウト］ボタン６０４は、例えば、列数表示ウインドウ６０７を書き換えて、列数を変更したときに、新たな列数で再レイアウトするためのボタンである。
【００９８】
［メモ欄更新］ボタン６０５は、メモ欄６０９，６１２などに、記入、または書き換えを行ったとき、その文字データをデータシート４上のメモ欄で移送するためのボタンである。メモ欄更新により、抽出印刷画面でメモ欄に入力した文字データがデータシート４上に反映され、特許マップファイル２２として特許マップ作成システム２から出力したときに保存され、再度特許マップファイル２２を特許マップ作成システム２へ読み込んだときに表示可能となる。
【００９９】
次に、図５のフローチャートを参照して、特許マップ作成システムの追加情報取込部１０による追加文献情報の取込み処理動作を詳細に説明する。
【０１００】
まず、Ｓ１００で処理対象の特許マップファイル２２（エクセルのブック）を開き、Ｓ１０２でデータシート４を表示して、マップのテーマ名や内容を確認する。次いで、Ｓ１０４で、データシート表示画面中の［「請求の範囲」等追加取込］ボタン３０９をクリックする。［「請求の範囲」等追加取込］ボタン３０９がクリックされると、特許マップ作成システムは、ファイル選択画面を表示するので、ユーザは、Ｓ１０６で追加情報として取り込むデータファイルを選択して、指定入力する。このデータファイルは、例えば、ＣＳＶ形式で構成され、特許文献毎に、請求の範囲、課題、要約、請求の範囲第１項を含むものである。
【０１０１】
データファイルの指定が入力されると、Ｓ１０８で追加データファイルから追加更新編集シートに追加情報が取り込まれる。追加更新編集シートは、データシート４へ追加情報を取り込むための作業バッファとなるワークシートであり、特許文献番号毎に、請求の範囲、課題、要約、請求の範囲第１項の各欄を備えているものとする。
【０１０２】
追加情報の取込が終わると、次いでＳ１１０で、追加更新編集シートに取り込んだデータを編集して、データシート４上に設けられた、請求の範囲、課題、要約、特許請求の範囲第１項の各欄へ出力して、追加文献情報の取込を終了する。
【０１０３】
次に、図６のフローチャートを参照して、特許マップ作成の処理動作を詳細に説明する。  
まず、ユーザは、Ｓ１２０で処理対象の特許マップファイル２２（エクセルではブックと呼ばれる）を開き、Ｓ１２２でデータシート４を表示して、マップのテーマ名や内容を確認する。次いで、Ｓ１２４で、［オートフィルタ］ボタン３０５をクリックしてオートフィルタ機能をオンし、データシートの出願人、出願年、分類のいずれかの欄をクリックして、オートフィルタ機能のプルダウンメニューを開いて、オートフィルタによる抽出条件を設定する。抽出条件が設定されると、特許マップ作成システムは、Ｓ１２６でオートフィルタ機能により自動的に抽出条件に適合する特許文献をデータシート４から抽出し、Ｓ１２８で抽出結果を表示装置の画面上に表示する。
【０１０４】
次いで、ユーザは、Ｓ１３０で他の抽出条件が有るか否かを判断し、他の抽出条件が有れば、Ｓ１２４へ戻る。抽出作業が終了し他の抽出条件がなければ、Ｓ１３２へ進む。
【０１０５】
Ｓ１３２では、選択ＸＹマップシートへ切り替える。このとき、図１２に示す選択ＸＹマップシートは、符号５０１から５１２及び２２９から２５１で示したマップシート枠だけが表示され、マップ部分は空白である。
【０１０６】
次いで、Ｓ１３４でユーザは絵付きマップを作成するか通常の特許マップを作成するかを判断し、絵付きマップを作成する場合、Ｓ１３８で［マップ作成時に図面表示］のチェックボックス５１０にチェックが入っていてオンとなっていることを確認する。このチェックボックス５１０のオン／オフに対応して、特許マップ表示部１１に対する制御フラグである図面表示フラグがセット／リセットされるとともに、規定値であるオンの時、マップ作成時に図面情報のダウンロード及び蓄積と、ロードした図面情報を用いて絵付きマップ表示することの指示が同時にできる。
【０１０７】
逆に特許マップに図面情報が不要の場合、Ｓ１３６で［マップ作成時に図面表示］のチェックボックス５１０のチェックをオフにする。
【０１０８】
次いで、ユーザは、Ｓ１４０で［マップ作成／更新］ボタン５０１をクリックし、Ｓ１４２で、横軸プルダウンメニュー５０８，縦軸プルダウンメニュー５０９によりマップの横軸、縦軸の指定を行う。マップの横軸、縦軸の指定入力が成されると、表示装置の画面にマップ作成確認のメッセージが表示され、例えば［はい（Ｙ）］をクリック又は入力すると、特許マップ作成システムは、Ｓ１４４で図面表示フラグのオン／オフを判定して、絵付きマップの作成か、絵のない通常の特許マップ作成かを判断する。
【０１０９】
Ｓ１４４の判定で、図面表示フラグがオンであれば、特許マップ作成システムは、Ｓ１５２で図面情報と内容とを含む絵付き特許マップを作成する。次いで、Ｓ１５４で絵付き特許マップを表示装置へ表示し、Ｓ１５６で［図面非表示］ボタン５０６のクリック入力の有無を判定し、入力がなければ、絵付き特許マップの表示を続ける。［図面非表示］ボタン５０６のクリック入力が有れば、Ｓ１４６へ移る、或いは、表示中の特許マップから図面表示のみを消去して、Ｓ１４８へ移る。
【０１１０】
Ｓ１４４で図面表示フラグがオフであれば、Ｓ１４６へ進み、絵のない通常の特許マップを作成し、Ｓ１４８で特許マップを表示装置へ表示する。次いで、Ｓ１５０で、［図面表示］ボタン５０５のクリック入力の有無を判定し、入力がなければ、絵のない特許マップの表示を続ける。［図面表示］ボタン５０５のクリック入力が有れば、Ｓ１５２へ移る。
【０１１１】
次に、図７のフローチャートを参照して、特許マップ作成システムによる図６のＳ１５２の詳細である絵付き特許マップ作成の処理動作を説明する。  
まずＳ１８０で、設定された横軸、縦軸で特許マップのマトリクスを作成する。次いで、Ｓ１８２でデータシート上の特許文献を１つ選択し、Ｓ１８４で、その特許文献の横軸、縦軸における評価値に従って、マトリクス上のセルを決定する。Ｓ１８６で、決定したセルの左側に当該特許文献の文献情報を配置する。
【０１１２】
次いで、Ｓ１８８で、データシート４上の当該特許文献の図面識別符号欄に図面識別符号の記入が有るか否か、即ち、当該特許文献の図面情報が図面情報蓄積部７に蓄積されているか否かを判定し、記入が無ければ、Ｓ１９０へ進み、記入があれば、Ｓ１９２へ進む。
【０１１３】
Ｓ１９０では、特許マップ作成システムの追加情報取得部１０により、公開特許情報検索システム３２，自社特許管理システム３３，または公開特許公報ＣＤ−ＲＯＭ３４から当該特許文献の図面情報として代表図を取り込み、図面識別符号を付与して図面情報蓄積部７へ蓄積するとともに、データシートの図面識別符号欄に識別符号を格納する。
【０１１４】
Ｓ１９２では、識別符号に基づいて代表図を図面情報蓄積部７から読み出し、Ｓ１８６で左側に文献情報を配置したセルと同じセルの右側に代表図を配置する。次いで、Ｓ１９４でデータシート上の全特許文献の処理が終了したか否かを判定し、終了していなければＳ１９４へ戻る。終了していれば、絵付き特許マップの作成は終了である。
【０１１５】
次に、図８のフローチャートを参照して、抽出印刷制御部１２の処理動作を詳細に説明する。まず、Ｓ２１０で絵付き特許マップの作成が行われ図１２のような絵付き特許マップが表示される。ここまでは、図７までのフローチャートを用いて説明した通りである。次いで、Ｓ２１２で、ユーザが抽出印刷シートのタブ２３７をクリックすると、図１３に示したような抽出印刷画面が表示装置に表示される。次いで、Ｓ２１４で抽出印刷画面上で［抽出印刷レイアウト］ボタン６０２がクリックされると、抽出印刷制御部１２は、Ｓ２１６で抽出印刷条件設定の小画面を抽出印刷画面に重ねて表示する。
【０１１６】
次いでＳ２１８で、ユーザは、この抽出印刷条件設定画面上で、選択項目、用紙サイズ、列数を設定入力する。選択項目は、追加文献情報として特許マップに表示する文献情報を選択するもので、本実施形態では、請求の範囲、課題、要約、請求の範囲第１項の何れかを選択可能となっている。用紙サイズは、例えば、指定無し、Ａ４縦、Ａ４横、Ａ３縦、Ａ３横等がある。列数は、印刷用紙の横方向に絵付きマップのセルを幾つ並べて編集するかを指定するもであり、実施形態では、１列から６列までの任意の列数を指定可能となっている。
【０１１７】
抽出印刷条件が設定されると、抽出印刷制御部１２は、Ｓ２２０で抽出印刷条件に従って印刷レイアウトを作成し、図１３のような抽出印刷レイアウトを表示装置へ表示する。ユーザは、Ｓ２２２で、この表示を見てレイアウトが適切か否かを判定し、不適切であれば、Ｓ２２４へ進み、［表示内容クリア］ボタン６０３をクリックする。これにより抽出印刷制御部１２は、先に設定された抽出印刷条件でレイアウトして表示した表示内容をクリアする。次いでユーザは、Ｓ２２６で新しい編集列数、或いは、選択項目、用紙サイズを入力する。そして、Ｓ２２８で［再レイアウト］ボタン６０４をクリックする。これにより、抽出印刷制御部１２は、Ｓ２２０で、新たに設定された抽出印刷条件で印刷レイアウトを作成して表示装置へ表示する。
【０１１８】
Ｓ２２２の判定で、レイアウトが適切であれば、ユーザは、Ｓ２３０でメモ入力するか否かを判定し、特許マップのセル内のメモ欄に記入したければＳ２３２へ進み、メモ欄の記入が不要であれば、Ｓ２４４へ進む。
【０１１９】
Ｓ２３２では、メモを記入したい特許マップのマトリクスのセルをクリックするなどして選択し、Ｓ２３４で入力装置２５のキーボードからメモ欄に文字入力を行う。次いでＳ２３６で［メモ欄更新］ボタン６０５をクリックする。［メモ欄更新］ボタン６０５がクリックされると、抽出印刷制御部１２は、Ｓ２３８で、抽出印刷シートのメモ欄の内容をデータシート４のメモ欄に移送する。ユーザは、Ｓ２４２でデータシートのタブ２３１をクリックしてデータシート４を表示装置へ表示して、抽出印刷シート上のある特許文献のメモ欄に記入した内容がデータシート４上の対応する特許文献のメモ欄に移送されたことを確認することができる。次いで、ユーザは、抽出印刷シートのタブ２３７をクリックして表示装置の表示を抽出印刷シートへ戻す。次いで、Ｓ２４４で表計算ソフトの印刷指示ボタン等を使用して印刷指示を行って、抽出印刷を行う。
【０１２０】
本実施形態において、絵付き特許マップを作成して表示装置に表示すると、従来の図面情報のない特許マップとは異なり、各特許文献の特徴を図面情報から容易に把握することができるとともに、図面情報を見ながら複数の特許文献間の比較を行うことができ、特許文献同士の相互の関連や、親子関係等を容易に判定できる。メモ欄入力機能により、このような判定結果をメモとして、絵付き特許マップに書き込んで印刷出力したり、データシートへ移送して保存する手段を提供することができる。
【０１２１】
尚、以上の説明では、抽出印刷条件の設定を、メモ欄入力より先に行うように説明したが、メモ欄入力を先にして、抽出印刷条件設定を後にするように変更することも可能である。
【図面の簡単な説明】
【０１２２】
【図１】本発明に係る特許マップ作成システムの実施形態のブロック構成を説明する構成図である。
【図２】特許マップ作成システムの全体の流れを説明する概略フローチャートである。
【図３】特許マップ作成システムが参照する特許分類評価システムのデータベース構成例を示すＥＲ図である。
【図４】特許マップ作成システムにおけるメニュー表示の例を説明する図である。
【図５】特許マップ作成システムにおける追加文献情報の取り込みを説明するフローチャートである。
【図６】特許マップ作成システムにおける特許マップ作成を説明するフローチャートである。
【図７】特許マップ作成システムにおける絵付き特許マップの作成を説明するフローチャートである。
【図８】特許マップ作成システムにおける抽出印刷処理を説明するフローチャートである。
【図９】特許マップ作成システムにおけるデータシートの例を説明する図である。
【図１０】特許マップ作成システムにおけるデータシートへの追加情報の取り込み例を説明する図である。
【図１１】特許マップ作成システムにおけるＸＹリストシートの例を説明する図である。
【図１２】絵付き特許マップの表示例を示す図である。
【図１３】抽出印刷時のレイアウト例を示す図である。
【符号の説明】
【０１２３】
１…ユーザ端末装置
２…特許マップ作成システム
３…表計算ソフト
４…データシート
５…ＸＹリストシート
６…マップシート
７…図面情報蓄積部
１０…追加情報取得部
１１…特許マップ表示部
１２…抽出印刷制御部
１３…特許マップ入出力部
１４…自動抽出部
１５…詳細表示制御部
２１…入力ファイル
２２…特許マップファイル
２２…データ／ＸＹリストシート
２３…光学媒体駆動装置
２４…表示装置
２５…入力装置
３１…特許分類・評価システム
３２…公開特許情報検索システム
３３…自社特許管理システム
３４…公開特許公報ＣＤ−ＲＯＭ
【図１】
2005038240.tif 000003
【図２】
2005038240.tif 000004
【図３】
2005038240.tif 000005
【図４】
2005038240.tif 000006
【図５】
2005038240.tif 000007
【図６】
2005038240.tif 000008
【図７】
2005038240.tif 000009
【図８】
2005038240.tif 000010
【図９】
2005038240.tif 000011
【図１０】
2005038240.tif 000012
【図１１】
2005038240.tif 000013
【図１２】
2005038240.tif 000014
【図１３】
2005038240.tif 000015